(57)【要約】【課題】換気扇の羽根車からの発生騒音はかなり大きく、また、渦巻き状のケーシングなどを通過する空気の摩擦音が発生し、その両方の音が共鳴騒音として発生することとなり、機械的な消音対策だけでは騒音低減の解決できなく、さらに騒音を低減することが要求されている。【解決手段】片側にベルマウス状のオリフィス１を形成した吸込口２と、吐出口３を有する渦巻き状のケーシング４を有し、このケーシング内部に電動機５によって駆動される遠心ファン６を有し、この吸込口２のさらに吸い込み側に、スピーカ７とマイク８と制御部９を有するアクティブ消音器１０を設置し、共鳴音を低減し静かな換気扇としたものである。【選択図】図１
2005171838.tif 000002
【特許請求の範囲】
【請求項１】
片側にベルマウス状のオリフィスを形成した吸込口と、吐出口を有する渦巻き状のケーシングを有し、このケーシング内部に電動機によって駆動される遠心ファンを有し、前記吸込口のさらに吸い込み側に、スピーカとマイクと制御部を有するアクティブ消音器を設置し、消音器の外側は、矩形の本体で囲われ、最も吸い込み側に、ルーバやグリルを有する換気扇。
【請求項２】
スピーカとマイクと制御部を有するアクティブ消音器は、１枚は板状で、これを複数枚で形成された請求項１記載の換気扇。
【請求項３】
スピーカとマイクと制御部を有するアクティブ消音器は、１枚は曲率を持つ板状で、これを複数枚で形成され、吸い込み口に円筒状に消音部を形成した請求項１または２記載の換気扇。
【請求項４】
スピーカとマイクと制御部を有するアクティブ消音器を、吸い込みグリルの羽根車側で、かつ矩形の本体の２隅または４隅に設置した請求項１〜３のいずれかに記載の換気扇。
【請求項５】
吸い込み口に円筒部を設置し、その円筒部の周囲の一部に、スピーカとマイクと制御部を有するアクティブ消音器を1個以上設置した請求項１記載の換気扇。
【請求項６】
吸い込み口に矩形筒部を設置し、矩形筒部の辺の一部に、スピーカとマイクと制御部を有するアクティブ消音器を1個以上設置した請求項１記載の換気扇。
【請求項７】
スピーカ部とマイク部とで曲率または直線の板状部を形成し、制御部は離れて本体内に設置した請求項１〜６のいずれかに記載の換気扇。
【発明の詳細な説明】
【技術分野】
【０００１】
本発明は、換気扇の静音化に関するものである。
【背景技術】
【０００２】
従来、この種の換気扇は家庭や事務所で使用されているものがあった（例えば特許文献１参照）。
【０００３】
以下、この種の換気扇について、図１５を参照しながら説明する。
【０００４】
図に示すように、電動機２４で駆動される羽根車２３を渦巻状ケーシング２５の中に設置し、吸込口２６のさらに上流側に円筒部２８を持った吸込オリフイス２７を設置し、それらが本体２１に収納されている。
【０００５】
上記構成により、羽根車２３が回転すると吸込孔２２より空気が吸引され羽根車で昇圧され吐出口２９より吐き出されるが、そのとき発生した騒音は、円筒部２８を持った吸込オリフイス２７の端部３０と吸込口２６のすきまｉより、円筒部２８を持ったオリフイス２７と本体２１との間に入り、共鳴作用により消音される。また、円筒部２８の内径は、吸込口２６の内径と同等であるので、風量が低下することはない。したがって、円筒部２８を持ったオリフイス２７がない場合より風量を減らすことなく、格段に低い騒音となる。
【特許文献１】特開平８−９４１４６号公報
【発明の開示】
【発明が解決しようとする課題】
【０００６】
このような従来の換気扇では、羽根車の発生騒音が限界に達しており、あとは渦巻き状のケーシングなどを通過する空気の摩擦音が発生し、それがケーシングの容積できまる共鳴周波数で共鳴し騒音が発生するという課題があり、上記従来例の機械的消音対策のみでは、まだ騒音が大きく、さらに騒音を低減することが要求されている。
【０００７】
本発明は、このような従来の課題を解決するものであり、片側にベルマウス状のオリフィスを形成した吸込口と、吐出口を有する渦巻き状のケーシングを有し、このケーシング内部に電動機によって駆動される遠心ファンを有し、この吸込口のさらに吸い込み側に、スピーカとマイクと制御部を有するアクティブ消音器を設置し、共鳴音を低減し、静かな換気扇を提供することを目的としている。
【０００８】
また、従来のアクティブ消音部は大きいスペースをとるので、空気の流入に抵抗があったり、本体外にスピーカやマイクを設置し、本体が大きくなる課題があった。
【０００９】
本発明は、このような従来の課題を解決するものであり、スピーカとマイクと制御部を有するアクティブ消音器は、１枚は板状で、これを複数枚で形成された構造とし、吸い込み通風路を、吸い込み空気が通りやすくし、風量の低下なしに騒音を低減した換気扇を提供することを目的としている。
【００１０】
また、従来の換気扇は、吸い込み口からの騒音が吸い込み口より半球状に放射され騒音が広がる課題があった。
【００１１】
本発明は、このような従来の課題を解決するものであり、アクティブ消音器を、１枚は曲率を持つ板状で、これを複数枚で形成され、吸い込み口に円筒状に消音部を形成し、共鳴音をより低減し、静かな換気扇を提供することを目的としている。
【００１２】
また、従来の換気扇は、グリルなど吸い込み口からはなれたところでは、吸い込み口の直径に相当するところが吸い込み風速が大きく、吸い込み口の径より大きい部分では風速が小さいで無駄になっているという課題があった。
【００１３】
本発明は、このような従来の課題を解決するものであり、空気の流入に抵抗なく消音効果を増大させるために、スピーカとマイクと制御部を有するアクティブ消音器を、吸い込みグリルの羽根車側で、かつ角状本体の２隅または4隅に設置し、共鳴音をより低減し、静かな換気扇を提供することを目的としている。
【００１４】
また、従来のアクティブ消音部は大きいスペースをとるので、空気の流入に抵抗があったり、本体外にスピーカやマイクを設置し、本体が大きくなる課題があった。
【００１５】
本発明は、このような従来の課題を解決するものであり、アクティブ消音部の大きさを小さくし、より空気の流入に抵抗なくするために、スピーカ部とマイク部とで曲率または直線の板状部を形成し、制御部は離れて本体内に設置し、共鳴音をより低減し、静かな換気扇を提供することを目的としている。
【課題を解決するための手段】
【００１６】
本発明の換気扇は、上記目的を達成するために、片側にベルマウス状のオリフィスを形成した吸込口と、吐出口を有する渦巻き状のケーシングを有し、このケーシング内部に電動機によって駆動される遠心ファンを有し、この吸込口のさらに吸い込み側に、スピーカとマイクと制御部を有するアクティフ゛消音器を設置した換気扇としたものである。
【００１７】
本発明によれば、課題となっているケーシングなどで発生する低周波の共鳴音を低減し、全体の騒音を低減することができる換気扇が得られる。
【００１８】
また、他の手段は、スピーカとマイクと制御部を有するアクティブ消音器を、１枚は板状で、これを複数枚で形成され、換気扇の吸い込み口に設置したものである。
【００１９】
本発明によれば、課題となっているケーシングなどで発生する低周波の共鳴音を低減するのみでなく、吸い込み口の空気抵抗を小さくし風量をほとんど低下させることなしに全体の騒音を低減することができる換気扇が得られる。
【００２０】
また、他の手段は、スピーカとマイクと制御部を有するアクティブ消音器は、１枚は曲率を持つ板状で、これを複数枚で形成され、吸い込み口に円筒状に消音部を形成した換気扇としたものである。
【００２１】
本発明によれば、課題となっているケーシングなどで発生する低周波の共鳴音を低減するのみでなく、吸い込み口からの音の放射を円筒内に封じ込め、アクティブ消音の効果をより大きくし、騒音のより低い換気扇が得られる。
【００２２】
また、他の手段は、スピーカとマイクと制御部を有するアクティブ消音器を、吸い込みグリルの羽根車側で、かつ角状本体の２隅または４隅に設置した換気扇としたものである。
【００２３】
本発明によれば、課題となっているケーシングなどで発生する低周波の共鳴音を低減するのみでなく、吸い込み空気があまり通っていない本体の隅にアクティブを置き、吸い込み風量を低減することなく消音し、より性能の優れた換気扇が得られる。
【００２４】
また、他の手段は、吸い込み口に円筒部を設置し、その円筒部の周囲の一部に、スピーカとマイクと制御部を有するアクティブ消音器を１個以上設置した換気扇としたものである。
【００２５】
本発明によれば、課題となっているケーシングなどで発生する低周波の共鳴音をもれなく低減するのみでなく、吸い込み空気に抵抗を与えず、吸い込み風量を低減することなく消音し、より性能の優れた換気扇が得られる。
【００２６】
また、他の手段は、吸い込み口に矩形筒部を設置し、矩形筒部の辺の一部に、スピーカとマイクと制御部を有するアクティブ消音器を1個以上設置した換気扇としたものである。
【００２７】
本発明によれば、課題となっているケーシングなどで発生する低周波の共鳴音をもれなく低減するのみでなく、アクティブ消音器を複数設置しやすく、また、吸い込み空気の風量を低減することなく消音し、より性能の優れた換気扇が得られる。
【００２８】
また、他の手段は、スピーカ部とマイク部とで曲率または直線の板状部を形成し、制御部は離れて本体内に設置した換気扇としたものである。
【００２９】
本発明によれば、課題となっているケーシングなどで発生する低周波の共鳴音を低減するのみでなく、アクティブ消音器の大きさをできるだけ小さくすることができ、吸い込み空気の風量を低減することなく消音し、より性能の優れた換気扇が得られる。
【発明の効果】
【００３０】
本発明によれば、吸い込み空気の空気抵抗を大きくすることなく、アクティブ消音の効果が得られ、十分な消音量を得ることができる換気扇を提供することができる。
【発明を実施するための最良の形態】
【００３１】
以下に、本発明の実施の形態について、図面を参照しながら説明する。
【００３２】
（実施の形態１）
図１および図２は本発明の実施の形態１における換気扇の断面図である。
【００３３】
図１および図２において片側にベルマウス状のオリフィス１を形成した吸込口２と、吐出口３を有する渦巻き状のケーシング４を有し、このケーシング４の内部に電動機５によって駆動される遠心ファン６を有し、前記吸込口２のさらに吸い込み側に、スピーカ７とマイク８と制御部９を有するアクティブ消音器１０を設置している。さらに消音器の外側は、前記ケーシング４や吸込口２は矩形の本体１１内に収納され、本体１１の最も吸い込み側には、グリル１２が設置されている。遠心ファン６が電動機５により回転させられると、前記遠心ファン６から発生する乱流音や、ケーシング４内で発生する摩擦音によるケーシング内の共鳴騒音は、吸込口２の下部よりグリル１２を透過し、人に大きく聞こえる。しかし、アクティブ消音器１０が、吸込口２とグリル１２と本体１１との間に設置されており、発生した騒音を感知し、周波数が同じで逆の大きさを発生させ打ち消すのでグリルの下部から聞こえる騒音を小さく押さえることができる。
【００３４】
（実施の形態２）
図３および図４は本発明の実施の形態２における換気扇の断面図である。
【００３５】
なお、図３および図４において、前記した図１および図２と同じ構成については同じ符号を用い、その説明を省略する。
【００３６】
図３および図４に示すように片側にベルマウス状のオリフィス１を形成した吸込口２と、吐出口３を有する渦巻き状のケーシング４を有し、このケーシング４の内部に電動機５によって駆動される遠心ファン６を有し、前記吸込口２のさらに吸い込み側に、スピーカ７とマイク８と制御部９を有するアクティブ消音器１０を設置している。さらに、前記ケーシング４や吸込口２は矩形の本体１１内に収納され、本体１１の最も吸い込み側には、グリル１２が設置されている。遠心ファン６が電動機５により回転させられると、前記遠心ファン６から発生する乱流音や、ケーシング４内で発生する摩擦音によるケーシング内の共鳴騒音は、吸込口２の下部よりグリル１２を透過し、人に大きく聞こえる。しかし、アクティブ消音器１０が、吸込口２とグリル１２と本体１１との間に設置されており、かつ図４のようにスピーカとマイクと制御部を有するアクティブ消音器１０は、１枚は板状で、これを複数枚で形成されているので、吸い込み通風路を、吸い込み空気が通りやすくし、風量の低下なしに騒音を低減した換気扇を提供できる。
【００３７】
（実施の形態３）
図５および図６は本発明の実施の形態２における換気扇の断面図である。
【００３８】
なお、前記した図１から図４と同じ構成については同じ符号を用い、その説明を省略する。
【００３９】
図５および図６に示すように、片側にベルマウス状のオリフィス１を形成した吸込口２と、吐出口３を有する渦巻き状のケーシング４を有し、このケーシング４の内部に電動機５によって駆動される遠心ファン６を有し、前記吸込口２のさらに吸い込み側に、スピーカ７とマイク８と制御部９を有するアクティブ消音器１０を設置している。さらに、前記ケーシング４や吸込口２は矩形の本体１１内に収納され、本体１１の最も吸い込み側には、グリル１２が設置されている。遠心ファン６が電動機５により回転させられると、前記遠心ファン６から発生する乱流音や、ケーシング４内で発生する摩擦音によるケーシング内の共鳴騒音は、吸込口２の下部よりグリル１２を透過し、人に大きく聞こえる。しかし、アクティブ消音器１０が、吸込口２とグリル１２と本体１１との間に設置されており、かつ図５のようにスピーカとマイクと制御部を有するアクティブ消音器１０は、１枚は曲率を持つ板状で、これを複数枚で形成され、吸い込み口に円筒状に消音部を形成した構成となっている。
【００４０】
これにより、円筒部の中を吸い込み空気が抵抗なく流れ羽根車に入ることができる。また、羽根車の中で発生した騒音は円筒部を通り羽根車と反対側に出ようとするが、円筒部から発生騒音の半波の騒音が発生してくるので、騒音は低減されて円筒部の羽根車と反対側にでる。この結果、吸い込み通風路を、吸い込み空気が通りやすくし、風量の低下なしに騒音をより低減した換気扇を提供できる。
【００４１】
（実施の形態４）
図７および図８は本発明の実施の形態２における換気扇の断面図である。
【００４２】
なお、前記した図１から図６と同じ構成については同じ符号を用い、その説明を省略する。
【００４３】
図７および８に示すように、片側にベルマウス状のオリフィス１を形成した吸込口２と、吐出口３を有する渦巻き状のケーシング４を有し、このケーシング４の内部に電動機５によって駆動される遠心ファン６を有し、前記吸込口２のさらに吸い込み側に、スピーカ７とマイク８と制御部９を有するアクティブ消音器１０を設置している。さらに、前記ケーシング４や吸込口２は矩形の本体１１内に収納され、本体１１の最も吸い込み側には、グリル１２が設置されている。遠心ファン６が電動機５により回転させられると、前記遠心ファン６から発生する乱流音や、ケーシング４内で発生する摩擦音によるケーシング内の共鳴騒音は、吸込口２の下部よりグリル１２を透過し、人に大きく聞こえる。しかし、スピーカとマイクと制御部を有するアクティブ消音器を、吸い込みグリルの羽根車側で、かつ矩形の本体の２隅または4隅に設置した構成となっている。
【００４４】
これにより、吸い込み空気は、現行と同様に抵抗なく流れ羽根車に入ることができる。一方、羽根車の中で発生した騒音は、羽根車と反対側に出ようとするが、吸い込み口２とグリル１２と本体１１との間で、かつ吸い込み口をはずした四隅にアクティブ消音部が形成されているので、吸い込み空気の量を減らすことなく、騒音をより低減した換気扇を提供できる。
【００４５】
（実施の形態５）
図９および図１０は本発明の実施の形態２における換気扇の断面図である。
【００４６】
なお、前記した図１から図８と同じ構成については同じ符号を用い、その説明を省略する。
【００４７】
図９および図１０に示すように、片側にベルマウス状のオリフィス１を形成した吸込口２と、吐出口３を有する渦巻き状のケーシング４を有し、このケーシング４の内部に電動機５によって駆動される遠心ファン６を有し、前記吸込口２のさらに吸い込み側に、グリル１２までの高さで円筒部１３が設置しており、その周囲にスピーカ７とマイク８と制御部９を有するアクティブ消音器１０を１個以上設置している。さらに、前記ケーシング４や吸込口２は矩形の本体１１内に収納され、本体１１の最も吸い込み側には、グリル１２が設置されている。遠心ファン６が電動機５により回転させられると、前記遠心ファン６から発生する乱流音や、ケーシング４内で発生する摩擦音によるケーシング内の共鳴騒音は、吸込口２の下部よりグリル１２を透過し、人に大きく聞こえる。しかし、円筒部１３が吸込口２に設置されているので、共鳴音は円筒部１３内に封じ込められる。さらに円筒部１３の周囲にアクティブ消音器１０が、1個以上設置され消音部を形成した構成となっている。
【００４８】
これにより、円筒部の中を吸い込み空気が抵抗なく流れ羽根車に入ることができる。
【００４９】
また、羽根車の中で発生した騒音は円筒部を通り羽根車と反対側に出ようとするが、円筒部から発生騒音の半波の騒音が発生してくるので、騒音は低減されて円筒部の羽根車と反対側にでる。このとき、円筒部１３があるので、円筒部外に音がもれることがなく有効に消音される。この結果、吸い込み通風路を、吸い込み空気が通りやすくし、風量の低下なしに騒音をもれなく低減した換気扇を提供できる。
【００５０】
（実施の形態６）
図１１および図１２は本発明の実施の形態２における換気扇の断面図である。
【００５１】
なお、前記した図１から図１０と同じ構成については同じ符号を用い、その説明を省略する。
【００５２】
図１１および１２に示すように、片側にベルマウス状のオリフィス１を形成した吸込口２と、吐出口３を有する渦巻き状のケーシング４を有し、このケーシング４の内部に電動機５によって駆動される遠心ファン６を有し、前記吸込口２のさらに吸い込み側に、グリル１２までの高さで矩形部１４が設置しており、その周囲にスピーカ７とマイク８と制御部９を有するアクティブ消音器１０を１個以上設置している。さらに、前記ケーシング４や吸込口２は矩形の本体１１内に収納され、本体１１の最も吸い込み側には、グリル１２が設置されている。遠心ファン６が電動機５により回転させられると、前記遠心ファン６から発生する乱流音や、ケーシング４内で発生する摩擦音によるケーシング内の共鳴騒音は、吸込口２の下部よりグリル１２を透過し、人に大きく聞こえる。しかし、矩形部１４が吸込口２に設置されているので、共鳴音は矩形部１４内に封じ込められる。さらに矩形部１４の周囲にアクティブ消音器１０が、1個以上設置され消音部を形成した構成となっている。
【００５３】
これにより、円筒部の中を吸い込み空気が抵抗なく流れ羽根車に入ることができる。
【００５４】
また、羽根車の中で発生した騒音は矩形部を通り羽根車と反対側に出ようとするが、矩形部から発生騒音の半波の騒音が発生してくるので、騒音は低減されて矩形部１４の羽根車と反対側にでる。このとき、矩形部１４があるので、矩形部外に音がもれることがなく有効に消音される。また、矩形形状が例えば六角形の場合には対向した対面の辺に複数個置くとさらに有効で、設置もしやすい。この結果、吸い込み通風路を、吸い込み空気が通りやすくし、風量の低下なしに騒音をもれなく低減した換気扇を提供できる。
【００５５】
（実施の形態７）
図１３および図１４は本発明の実施の形態２における換気扇の断面図である。
【００５６】
なお、前記した図１から図１２と同じ構成については同じ符号を用い、その説明を省略する。
【００５７】
図１３および１４に示すように、片側にベルマウス状のオリフィス１を形成した吸込口２と、吐出口３を有する渦巻き状のケーシング４を有し、このケーシング４の内部に電動機５によって駆動される遠心ファン６を有し、前記吸込口２のさらに吸い込み側に、スピーカ７とマイク８と制御部９を有するアクティブ消音器１０を設置している。さらに、前記ケーシング４や吸込口２は矩形の本体１１内に収納され、本体１１の最も吸い込み側には、グリル１２が設置されている。遠心ファン６が電動機５により回転させられると、前記遠心ファン６から発生する乱流音や、ケーシング４内で発生する摩擦音によるケーシング内の共鳴騒音は、吸込口２の下部よりグリル１２を透過し、人に大きく聞こえる。しかし、スピーカ部とマイク部とで曲率または直線の板状部を形成し、制御部は離れて本体内に設置した構成となっている。
【００５８】
これにより、消音部の大きさはスピーカ部とマイク部と制御部とで形成した消音部より、より小さな消音部となるので、吸い込み空気の空気抵抗をかなり小さくすることができ、吸い込み空気の量を減らすことがなく、騒音低減の効果は前記、実施の形態１〜６のいずれかの効果も維持できる換気扇を提供できる。
【産業上の利用可能性】
【００５９】
本発明の換気扇は、吸い込み空気の空気抵抗を大きくすることなく、アクティブ消音の効果がえられ、十分な消音量を得ることができる効果を有しており、換気送風機器以外の空気調和機器、除湿機、加湿器、または空気清浄機の空気清浄機の送風部としても有用である。
【図面の簡単な説明】
【００６０】
【図１】本発明の実施の形態１の換気扇の側断面図
【図２】同上面図
【図３】同実施の形態２の換気扇の側断面図
【図４】同上面図
【図５】同実施の形態３の換気扇の側断面図
【図６】同上面図
【図７】同実施の形態４の換気扇の側断面図
【図８】同上面図
【図９】同実施の形態５の換気扇の側断面図
【図１０】同上面図
【図１１】同実施の形態６の換気扇の側断面図
【図１２】同上面図
【図１３】同実施の形態７の換気扇の側断面図
【図１４】同上面図
【図１５】従来の換気扇の側断面図
【符号の説明】
【００６１】
１  オリフイス
２  吸込口
３  吐出口
４  ケーシング
５  電動機
６  遠心ファン
７  スピーカ
８  マイク
９  制御部
１０  アクティブ消音部
１１  本体
１２  グリル
１３  円筒部
１４  矩形部
２１  本体
２２  吸込孔
２３  羽根車
２４  電動機
２５  渦巻ケーシング
２６  吸込口
２７  オリフイス
２８  円筒部
２９  吐出口
３０  端部
【図１】
2005171838.tif 000003
【図２】
2005171838.tif 000004
【図３】
2005171838.tif 000005
【図４】
2005171838.tif 000006
【図５】
2005171838.tif 000007
【図６】
2005171838.tif 000008
【図７】
2005171838.tif 000009
【図８】
2005171838.tif 000010
【図９】
2005171838.tif 000011
【図１０】
2005171838.tif 000012
【図１１】
2005171838.tif 000013
【図１２】
2005171838.tif 000014
【図１３】
2005171838.tif 000015
【図１４】
2005171838.tif 000016
【図１５】
2005171838.tif 000017